(57)【要約】【課題】緊急事態を確実に通知すること。【解決手段】センサ部１４０は、携帯端末１００が収容部（衣類のポケットや鞄等）内に収容されているか否かを検知する。操作部１１０は、携帯端末１００の利用者が緊急時に利用するための所定の入力操作を受け付ける。出力部１２０は、携帯端末１００の利用者が緊急時に利用するための所定の出力動作を行う。緊急操作記憶部２００は、所定の入力操作および所定の出力動作を予め対応付けて記憶する。制御部１５０は、所定の入力操作が操作部１１０により受け付けられた場合であって、携帯端末１００が収容部内に収容されたとセンサ部１４０により検知された場合、操作部１１０により受け付けられた所定の入力操作に対応付けられた所定の出力動作を出力部１２０に実行させる。【選択図】      図１
2016010109.tif 000002
【特許請求の範囲】
【請求項１】
収容部に収容される携帯端末であって、
前記携帯端末が前記収容部内に収容されているか否かを検知するセンサ部と、
前記携帯端末の利用者が緊急時に利用するための所定の入力操作を受け付ける操作部と、
前記携帯端末の利用者が緊急時に利用するための所定の出力動作を行う出力部と、
前記所定の入力操作および前記所定の出力動作を予め対応付けて記憶する操作記憶部と、
前記所定の入力操作が前記操作部により受け付けられた場合であって、前記携帯端末が前記収容部内に収容されたと前記センサ部により検知された場合、前記操作部により受け付けられた前記所定の入力操作に前記記憶部で対応付けられた前記所定の出力動作を前記出力部に実行させる制御部とを備えた携帯端末。
【請求項２】
前記出力部は、
特定の電話番号または特定のメールアドレスに対して、前記携帯端末の利用者が緊急時である旨を発信する通信部、
前記携帯端末の周囲に対して、前記携帯端末の利用者が緊急時である旨を音で通知する鳴動部、または
前記携帯端末の利用者が緊急時である旨を他人に伝達するためのアプリケーションを実行するアプリケーション実行部を有し、
前記通信部の発信動作、前記鳴動部の通知動作、または前記アプリケーション実行部の実行動作を、前記所定の出力動作として、実行する請求項１に記載の携帯端末。
【請求項３】
前記入力部は、
前記携帯端末の表面に検知面が設けられ、前記検知面上で移動する物体の特定軌跡を認識するタッチパネル、
または前記携帯端末内に設けられ、前記携帯端末の振動を検知する振動センサ部を有し、
前記タッチパネルにより検知される前記物体の軌跡、または前記振動センサ部により検知される前記携帯端末の振動を、前記所定の入力操作として、受け付ける請求項１または２に記載の携帯端末。
【請求項４】
前記入力部および前記出力部は、
前記携帯端末の利用者により、予め携帯端末内に用意されたものから選択するか、前記携帯端末の利用者が実際に行った操作を記録したものに基づいて、新たに設定される請求項１〜３のいずれか１項に記載の携帯端末。
【請求項５】
前記所定の入力操作が前記操作部により受け付けられた場合であって、前記携帯端末が前記収容部内に収容されたと前記センサ部により検知された場合、前記所定の入力操作が前記操作部により受け付けられたことを前記携帯端末の利用者に確認させるために前記携帯端末の利用者へ伝達する入力確認伝達部を備え、
前記所定の入力操作が前記操作部により受け付けられた場合であって、前記携帯端末が前記収容部内に収容されたと前記センサ部により検知された場合に、前記制御部が、前記操作部により受け付けられた前記所定の入力操作に対応付けられた前記所定の出力動作を前記出力部に実行させるのに代えて、
前記所定の入力操作が前記操作部により受け付けられた場合であって、前記携帯端末が前記収容部内に収容されたと前記センサ部により検知された場合に、前記入力確認伝達部が、前記所定の入力操作が前記操作部により受け付けられたことを前記携帯端末の利用者へ伝達し、その後に前記所定の入力操作が再び前記操作部により受け付けられた場合、制御部が、前記操作部により入力された前記所定の入力操作に対応付けられた前記所定の出力動作を前記出力部に実行させる請求項１〜４のいずれか１項に記載の携帯端末。
【請求項６】
収容部に収容される携帯端末の制御方法であって、
前記携帯端末は、
前記携帯端末の利用者が緊急時に利用するための所定の入力操作を受け付ける操作部と、
前記携帯端末の利用者が緊急時に利用するための所定の出力動作を行う出力部と、
前記所定の入力操作および前記所定の出力動作を予め対応付けて記憶する操作記憶部とを備え、
前記所定の入力操作を前記操作部により受け付ける入力操作受付ステップと、
前記携帯端末が前記収容部内に収容されているか否かを検知する検知ステップと、
前記入力操作ステップで前記所定の入力操作が前記操作部により受け付けられた場合であって、前記検知ステップで前記携帯端末が前記収容部内に収容されたと検知された場合、前記操作ステップで受け付けられた前記所定の入力操作に前記記憶部で対応付けられた前記所定の出力動作を前記出力部に実行させる出力動作実行ステップとを含む携帯端末の制御方法。
【発明の詳細な説明】
【技術分野】
【０００１】
本発明は、例えば、携帯情報端末や携帯電話機等の携帯端末等に関する。
【背景技術】
【０００２】
近年、携帯電話機、携帯情報端末等の携帯端末の普及は著しい。これら携帯端末は、子供から高齢者に至るまで、幅広い世代に、利用されてきている。
【０００３】
また、近年の携帯端末には、入力操作性を高めるために、タッチパネルが搭載されることが多い。赤外線通信機能などの多彩な機能も近年の携帯端末に搭載されつつある。このため、携帯端末は、当該携帯端末の利用者の日常生活にとって、欠かせないものとなってきている。このような状況から、携帯端末を常に身近な所に載置する者や、携帯端末を常に携行する者も、少なくない。
【０００４】
このため、携帯端末の利用者が何らかの犯罪に巻き込まれた等の緊急事態に対応できる機能が、当該携帯端末内に搭載されている。
【０００５】
例えば、特許文献１には、携帯電話端末の技術として、セキュリティセンターへ緊急事態通知をし、緊急事態を通知するためのエマージェンシーモードに移行するものが開示されている。表示手段は、エマージェンシーモードへの移行に伴って、全ての表示を消灯するとともに、エマージェンシーモード移行後にはキー入力に対応した表示を行わない。
【０００６】
また、特許文献２に記載には、携帯端末装置の技術として、ポケット等の中で誤発信が行われないように、アンテナ操作を契機に防犯動作を行うものが、開示されている。
【０００７】
なお、本発明に関連する技術が、特許文献２〜５にさらに開示されている。
【先行技術文献】
【特許文献】
【０００８】
【特許文献１】特開２００５−１２３８８２号公報
【特許文献２】特開２００５−３５４３８２号公報
【特許文献３】特開２０１４−０４２３４８号公報
【特許文献４】特開２０１４−０４４６４１号公報
【特許文献５】特開２０１３−１５６０８５号公報
【発明の概要】
【発明が解決しようとする課題】
【０００９】
しかしながら、特許文献１に記載の技術では、緊急事態が発生した際に携帯電話端末を手にとって操作する必要があり、犯罪者に気づかれてしまうという問題があった。携帯電話端末を用いて緊急事態である旨を第三者に知らせようとする行為が、犯罪者に気づかれてしまうと、当該犯罪者を逆上させてしまう危険が生じうる。また、特許文献２に記載の技術は、アンテナが露出されない携帯端末に対応しない。携帯端末がポケット等の収容部内に収容されている状態で、特定のボタンを操作することは難しく、緊急事態を通知できない場合も生じうる。
【００１０】
本発明は、このような事情に鑑みてなされたものであり、本発明の目的は、緊急事態を通知する前に周囲に気づかれることなく、緊急事態を確実に通知することができる携帯端末を提供することにある。
【課題を解決するための手段】
【００１１】
本発明の携帯端末は、収容部に収容される携帯端末であって、前記携帯端末が前記収容部内に収容されているか否かを検知するセンサ部と、前記携帯端末の利用者が緊急時に利用するための所定の入力操作を受け付ける操作部と、前記携帯端末の利用者が緊急時に利用するための所定の出力動作を行う出力部と、前記所定の入力操作および前記所定の出力動作を予め対応付けて記憶する操作記憶部と、前記所定の入力操作が前記操作部により受け付けられた場合であって、前記携帯端末が前記収容部内に収容されたと前記センサ部により検知された場合、前記操作部により受け付けられた前記所定の入力操作に前記記憶部で対応付けられた前記所定の出力動作を前記出力部に実行させる制御部とを備えている。
【００１２】
本発明の携帯端末の制御方法は、収容部に収容される携帯端末の制御方法であって、前記携帯端末は、前記携帯端末の利用者が緊急時に利用するための所定の入力操作を受け付ける操作部と、前記携帯端末の利用者が緊急時に利用するための所定の出力動作を行う出力部と、前記所定の入力操作および前記所定の出力動作を予め対応付けて記憶する操作記憶部とを備え、前記所定の入力操作を前記操作部により受け付ける入力操作受付ステップと、前記携帯端末が前記収容部内に収容されているか否かを検知する検知ステップと、前記入力操作ステップで前記所定の入力操作が前記操作部により受け付けられた場合であって、前記検知ステップで前記携帯端末が前記収容部内に収容されたと検知された場合、前記操作ステップで受け付けられた前記所定の入力操作に前記記憶部で対応付けられた前記所定の出力動作を前記出力部に実行させる出力動作実行ステップとを含んでいる。
【発明の効果】
【００１３】
本発明にかかる技術によれば、緊急事態を通知する前に周囲に気づかれることなく、緊急事態を確実に通知することができる。
【図面の簡単な説明】
【００１４】
【図１】本発明の第１の実施の形態における携帯端末の構成を示すブロック図である。
【図２】本発明の第１の実施の形態における携帯端末の外観の構成を示す図である。
【図３】記憶部の内部の構成を示すブロック図である。
【図４】緊急操作記憶部に記憶された入力操作パターンと出力動作パターンの一例を示す図である。
【図５】本発明の第１の実施の形態における携帯端末の動作フローを示す図である。
【図６】本発明の第１の実施の形態における携帯端末の動作フローを示す図である。
【図７】本発明の第２の実施の形態における携帯端末の構成を示すブロック図である。
【図８】本発明の第２の実施の形態における携帯端末の動作フローを示す図である。
【発明を実施するための形態】
【００１５】
＜第１の実施の形態＞
図１は、本発明の第１の実施の形態における携帯端末１００の構成を示すブロック図である。図２は、携帯端末１００の外観の構成を示す図である。
【００１６】
説明の便宜上、まず、図２を説明し、その後に図１を説明する。
【００１７】
図２に示されるように、携帯端末１００は、衣類のポケットや鞄などに収容される携帯電話機、携帯情報端末（スマートフォン）等である。ここでは、携帯端末１００は携帯情報端末であるものとして説明する。なお、衣類のポケットや鞄は、本発明の収容部に相当する。
【００１８】
図２に示されるように、携帯端末１００は、矩形の平板状に形成されている。携帯端末１００は、タッチパネル１１１と、電源ボタン１１３と、音量アップボタン１１４と、音量ダウンボタン１１５と、表示部１３０と、センサ部１４０と、筐体１８０とを有する。
【００１９】
タッチパネル１１１および表示部１３０は、携帯端末１００の筐体１８０の表面側に露出するように配置されている。タッチパネル１１１は、表示部１３０上に積層するように、設けられている。表示部１３０は、例えば、液晶表示装置や有機ＥＬ（Electro-Luminescence）表示装置である。
【００２０】
電源ボタン１１３は、筐体１８０の外に露出するように、筐体１８０の側面に設けられている。電源ボタン１１３は、携帯端末１００内の各電子部品に電源を供給するためのスイッチである。
【００２１】
音量アップボタン１１４および音量ダウンボタン１１５は、筐体１８０の外に露出するように、筐体１８０の側面に設けられている。音量アップボタン１１４および音量ダウンボタン１１５は、後述の鳴動部１２２の出力音量を調整するためのスイッチである。
【００２２】
センサ部１４０は、筐体１８０の表面に、設けられている。センサ部１４０は、近くに物体があるか否かを検知する。より具体的には、センサ部１４０は、携帯端末１００がポケットや鞄などの収容部の一部が近接しているか否かに基づいて、携帯端末１００が収容部内に収容されているか否かを検知する。センサ部１４０は、近接センサとも呼ばれる。
【００２３】
筐体１８０は、携帯端末１００の電子部品等を収容する。筐体１８０は、例えば、ＡＢＳ樹脂（アクリロニトリル (Acrylonitrile)、ブタジエン (Butadiene)、スチレン (Styrene)共重合合成樹脂）等の樹脂成形品により、構成される。
【００２４】
以上、図２を用いて、携帯端末１００の外観の構成を説明した。
【００２５】
次に、携帯端末１００の内部構成について説明する。図１に示されるように、携帯端末１００は、操作部１１０と、出力部１２０と、表示部１３０と、センサ部１４０と、制御部１５０とを備えている。
【００２６】
図１に示されるように、操作部１１０は、制御部１５０に接続されている。操作部１１０は、携帯端末１００の利用者が緊急時に利用するための所定の入力操作を受け付ける。ここで、緊急時とは、携帯端末１００の利用者が主観的に緊急事態であることを認識した時をいう。緊急事態とは、例えば、携帯端末１００の利用者がひったくりや暴漢などの犯罪者に襲われた事態をいう。
【００２７】
操作部１１０は、タッチパネル１１１と、振動センサ部１１２とを備えている。タッチパネル１１１は、携帯端末１００の表面に検知面（不図示）が設けられ、検知面上で移動する物体の特定軌跡を認識する。振動センサ部１１２は、携帯端末１００内に設けられ、携帯端末１００の振動を検知する。なお、操作部１１０は、携帯端末１００がロック状態やその他アプリケーション実行中であっても、入力できるように設定されている。
【００２８】
図１に示されるように、出力部１２０は、制御部１５０に接続されている。出力部１２０は、携帯端末１００の利用者が緊急時に利用するための所定の出力動作を行う。出力部１２０は、通信部１２１と、鳴動部１２２と、アプリケーション実行部１２３とを備えている。
【００２９】
通信部１２１は、特定の電話番号（例えば、警察署（１１０）や消防署（１１９）や家族等の緊急連絡番号）または特定のメールアドレス（例えば、警察署や消防署や家族等のメールアドレス）に対して、携帯端末１００の利用者が緊急時である旨を発信する。
【００３０】
鳴動部１２２は、携帯端末１００の周囲に対して、携帯端末１００の利用者が緊急時である旨を音（例えば、所定の音量以上のブザー鳴動音）で通知する。
【００３１】
アプリケーション実行部１２３は、携帯端末１００の利用者が緊急時である旨を他人に伝達するためのアプリケーションを実行する。アプリケーション実行部１２３は、例えば、通信部１２１および鳴動部１２２を同時に起動して、予め設定された特定の電話番号および特定のメールアドレスに、携帯端末１００の利用者が緊急時である旨を発信あるいは通知する。
【００３２】
図１に示されるように、表示部１３０は、制御部１５０に接続されている。表示部１３０は、操作部１１０による操作内容等を表示する。
【００３３】
図１に示されるように、センサ部１４０は、制御部１５０に接続されている。上述したように、センサ部１４０は、近くに物体があるか否かを検知する。より具体的には、センサ部１４０は、携帯端末１００がポケットや鞄などの収容部の一部が所定の距離内で近接しているか否かに基づいて、携帯端末１００が収容部内に収容されているか否かを検知する。
【００３４】
図１に示されるように、制御部１５０は、操作部１１０、出力部１２０、表示部１３０およびセンサ部１４０に接続されている。制御部１５０は、操作部１１０、出力部１２０、表示部１３０およびセンサ部１５０を含めて、携帯端末１００内の全ての電子部品を制御する。制御部１５０の具体的な動作内容については、携帯端末１００の動作説明内で詳しく説明する。
【００３５】
制御部１５０は、記憶部１５１を有する。記憶部１５１は、携帯端末１００の各処理等の情報を記憶する。記憶部１５１は、通信部１２１の発信先の電話番号や、通信部１２１の送信先のメールアドレス等も記憶する。
【００３６】
図３は、記憶部１５１の内部の構成を示すブロック図である。図３に示されるように、記憶部１５１は、緊急操作記憶部２００を備えている。
【００３７】
図３に示されるように、緊急操作記憶部２００は、携帯端末１００の利用者が緊急時である際に操作される情報等を記憶する。緊急操作記憶部２００は、所定の入力操作および所定の出力動作を予め対応付けて記憶する。緊急操作記憶部２００は、入力操作パターン２０１と、出力操作パターン２０２と、入力ユーザ操作２０３と、出力ユーザ指定アプリ２０４と、出力宛先２０５と、出力メッセージ２０６とを記憶する。なお、緊急操作記憶部２００は、本発明の操作記憶部に対応する。
【００３８】
入力操作パターン２０１は、操作部１１０により受け付けられる単数または複数の所定の入力操作である。また、これらは、複数の組合せであってもよい。入力操作パターン２０１は、出力動作パターン２０２との間で対応つけられている。
【００３９】
出力操作パターン２０２は、出力部１２０により実行される単数または複数の所定の出力動作である。また、これらは、複数の組合せであってもよい。出力動作パターン２０２は、入力操作パターン２０１との間で対応つけられている。
【００４０】
入力ユーザ操作２０３は、入力操作パターン２０１がユーザ指定（携帯端末１００の利用者による指定）であった場合の操作内容を格納する。
【００４１】
出力ユーザ指定アプリ２０４は、出力動作パターン２０２がユーザ指定のアプリケーションであった場合のアプリケーション情報を格納する。
【００４２】
出力宛先２０５は、出力動作先が電話やメールだった場合の宛先を格納する。
【００４３】
出力メッセージ２０６は、出力動作が電話やメールだった場合のメッセージ内容を格納する。
【００４４】
図４は、緊急操作記憶部２００に記憶された入力操作パターン２０１と出力動作パターン２０２の一例を示す図である。前述の通り、緊急操作記憶部２００は、所定の入力操作および所定の出力動作を予め対応付けて、入力操作パターン２０１および出力動作パターン２０２に記憶する。
【００４５】
図４に示されるように、入力操作パターン２０１として、複数の入力操作が登録されている。この例では、「Ｉ０１：タップ５回」、「Ｉ０２：ピンチイン、ピンチアウト各２回」、「Ｉ０３：うずまき模様を書く」、「Ｉ０４：シェイク」、「Ｉ０５：ユーザ登録動作」が登録されている。これらは、個別の入力操作として入力操作パターン２０１に登録されてもよいし、複数の入力操作の組合せとして入力操作パターン２０１に登録されてもよい。
【００４６】
「Ｉ０１：タップ５回」の表示は、指でタッチパネル１１１を５回叩く操作が識別番号「Ｉ０１」に登録されていることを指す。
【００４７】
「Ｉ０２：ピンチイン、ピンチアウト各２回」の表示は、ピンチインを２回行い、ピンチアウトを２回行う操作が識別番号「Ｉ０２」に登録されていることを指す。ピンチインとは、タッチパネル１１１を２本の指でつまむように動かし、表示部１３０の表示内容を縮小させる操作をいう。ピンチアウトは、ピンチインの逆で、２本の指で広げるように動かし、表示部１３０の表示内容を拡大させる操作をいう。
【００４８】
「Ｉ０３：うずまき模様を書く」の表示は、タッチパネル１１１上に指でうずまき模様を書く操作が識別番号「Ｉ０３」に登録されていることを指す。
【００４９】
「Ｉ０４：シェイク」の表示は、携帯端末１００を上下または左右に振る操作が識別番号「Ｉ０２」に登録されていることを指す。
【００５０】
「Ｉ０５：ユーザ登録動作」の表示は、ユーザにより登録された出力動作が識別番号「Ｉ０５」に登録されていることを指す。
【００５１】
図４に示されるように、出力動作パターン２０２として、複数の出力動作が登録されている。この例では、「００１：１１０発呼」、「００２：指定番号発呼」、「００３：指定アドレスメール」、「００４：ブザー鳴動」、「００５：ユーザ登録アプリ動作」が登録されている。これらは、個別の出力動作として出力動作パターン２０２に登録されてもよいし、複数の出力動作の組合せとして出力動作パターン２０２に登録されてもよい。
【００５２】
「００１：１１０発呼」の表示は、電話番号１１０に発呼することが識別番号「００１」に登録されていることを指す。
【００５３】
「００２：指定番号発呼」の表示は、予め指定された電話番号に発呼することが識別番号「００２」に登録されていることを指す。
【００５４】
「００３：指定アドレスメール」の表示は、予め指定されたメールアドレスにメールを送信することが識別番号「００３」に登録されていることを指す。
【００５５】
「００４：ブザー鳴動」の表示は、鳴動部１２２により、携帯端末１００の周囲に対して、携帯端末１００の利用者が緊急時である旨を音で通知することが、識別番号「００４」に登録されていることを指す。
【００５６】
「００５：ユーザ登録アプリ動作」の表示は、ユーザにより登録されたアプリ動作が識別番号「００５」に登録されていることを指す。
【００５７】
以上、携帯端末１００の内部構成について説明した。
【００５８】
次に、携帯端末１００の動作について説明する。図５および図６は、携帯端末１００の動作フローを示す図である。
【００５９】
まず、図５を用いて、携帯端末１００の初期設定の動作について説明する。
【００６０】
図５に示されるように、所望の入力操作が、携帯端末１００の利用者の操作によって、緊急操作記憶部２０１内の入力操作パターン２０１に入力される（Ｓ５０１）。ここでは、図４で例示したように、所望の入力操作は、識別番号と合わせて、単数または複数の入力操作が緊急操作記憶部２０１内の入力操作パターン２０１内に入力される。
【００６１】
次に、所望の入力操作が、携帯端末１００の利用者の操作によって、緊急操作記憶部２０１内の入力操作パターン２０１に記憶される（Ｓ５０２）。ここでは、図４で例示したように、所望の入力操作は、識別番号と合わせて、単数または複数の入力操作を緊急操作記憶部２０１内の入力操作パターン２０１内に記憶される。
【００６２】
次に、制御部１５０は、入力された入力操作がユーザ指定か否かを確認する（Ｓ５０３）。すなわち、制御部１５０は、入力された入力操作が、携帯端末１００の利用者により指定された入力操作であるか、もしくは予め携帯端末１００にプリインストールされた入力操作であるかを、確認する。
【００６３】
入力された入力操作がユーザ指定であった場合（Ｓ５０３、ＹＥＳ）、ユーザ指定の入力操作が、携帯端末１００の利用者の操作によって、緊急操作記憶部２０１内の入力操作パターン２０１に記憶される（Ｓ５０４）。Ｓ５０４の処理後、携帯端末１００はＳ５０５の処理を行う。
【００６４】
一方、入力された入力操作がユーザ指定でない場合（Ｓ５０３、ＮＯ）、携帯端末１００はＳ５０５の処理を行う。
【００６５】
次に、所望の出力動作が、携帯端末１００の利用者の操作によって、緊急操作記憶部２０１内の出力動作パターン２０２に入力される（Ｓ５０５）。ここでは、図４で例示したように、所望の出力動作は、識別番号と合わせて、単数または複数の出力動作が緊急操作記憶部２０１内の出力動作パターン２０２内に入力される。
【００６６】
次に、所望の出力動作が、携帯端末１００の利用者の操作によって、緊急操作記憶部２０１内の出力動作パターン２０２に記憶される（Ｓ５０６）。ここでは、図４で例示したように、所望の出力動作は、識別番号と合わせて、単数または複数の入力操作を緊急操作記憶部２０１内の出力動作パターン２０２内に記憶される。
【００６７】
次に、制御部１５０は、入力された出力動作がユーザ指定か否かを確認する（Ｓ５０７）。すなわち、制御部１５０は、入力された出力動作が、携帯端末１００の利用者により指定されたアプリケーション（出力動作）であるか、もしくは予め携帯端末１００にプリインストールされた出力動作であるかを、確認する。
【００６８】
入力された出力動作がユーザ指定のアプリケーションであった場合（Ｓ５０７、ＹＥＳ）、ユーザ指定のアプリケーション（出力動作）が、携帯端末１００の利用者の操作によって、緊急操作記憶部２０１内の出力動作パターン２０２に記憶される（Ｓ５０８）。Ｓ５０８の処理後、携帯端末１００はＳ５０９の処理を行う。
【００６９】
一方、入力された出力動作がユーザ指定のアプリケーションでない場合（Ｓ５０８、ＮＯ）、携帯端末１００はＳ５０９の処理を行う。
【００７０】
次に、制御部１５０は、入力された出力動作が指定電話または指定メールに関係する内容であるか否かを判断する（Ｓ５０９）。すなわち、入力された出力動作が、予め指定された電話番号またはメールアドレスに発呼する内容であるか否かが、制御部１５０により、確認される。
【００７１】
入力された出力動作が指定電話または指定メールに関係する内容である場合（Ｓ５０９、ＹＥＳ）、メールアドレスやメッセージや電話番号等が、携帯端末１００の利用者の操作によって、緊急操作記憶部２０１内の出力宛先２０５や出力メッセージ２０６等に記憶される（Ｓ５１０）。そして、Ｓ５１０の処理後、携帯端末１００は、初期設定の処理を終了する。
【００７２】
一方、入力された出力動作が指定電話または指定メールに関係する内容でない場合（Ｓ５０９、ＮＯ）、携帯端末１００は初期設定の処理を終了する。
【００７３】
次に、緊急時の携帯端末１００の動作について、図６に従って説明する。
【００７４】
図６に示されるように、まず、携帯端末１００が初期状態であったとする（Ｓ６０１）。ここで、初期状態とは、携帯端末１００が、待ち受け状態、ロック状態、または各種アプリ（アプリケーション）を表示した状態にあることをいう。
【００７５】
次に、緊急時の入力操作が操作部１１０により受け付けられる（Ｓ６０２）。すなわち、緊急操作記憶部２００の入力操作パターン２０１に記憶された入力操作が、操作部１１０により受け付けられると、携帯端末１００はＳ６０３の処理を行う。このとき、携帯端末１００が衣類のポケット等の収容部内に収容されている場合、携帯端末１００の利用者は、携帯端末１００を収容部内に収容した状態のままで、操作部１１０を操作することを想定している。
【００７６】
図４の例示に沿った場合、例えば、指でタッチパネル１１１を５回叩く操作や、ピンチインを２回行い、ピンチアウトを２回行う操作や、タッチパネル１１１上に指でうずまき模様を書く操作や、携帯端末１００を上下または左右に振る操作などが、操作部１１０（タッチパネル１１１、振動センサ部１１２）により受け付けられると、携帯端末１００はＳ６０３の処理を行う。なお、複数の入力操作の組合せとして入力操作パターン２０１に登録されている場合、全ての入力操作が順番通り受け付けられた際に、携帯端末１００はＳ６０３の処理を行う。
【００７７】
次に、センサ部１４０による検知処理が行われる（Ｓ６０３）。すなわち、センサ部１４０は、携帯端末１００が衣類のポケットや鞄等の収容部内に収容されているか否かを検知する。
【００７８】
携帯端末１００が衣類のポケットや鞄等の収容部内に収容されていると、センサ部１４０により検知された場合（Ｓ６０３、ＹＥＳ）、携帯端末１００は、緊急時の出力動作を実行する（Ｓ６０４）。すなわち、携帯端末１００は、出力部１２０に対して、Ｓ６０２で操作部１１０により受け付けられた入力操作に対応付けられた出力動作を実行させる指示を出す。
【００７９】
図４の例示に沿った場合、例えば、電話番号１１０に発呼する動作や、予め指定された電話番号に発呼する動作や、予め指定されたメールアドレスにメールを送信する動作や、鳴動部１２２により、携帯端末１００の周囲に対して、携帯端末１００の利用者が緊急時である旨を音で通知する動作や、ユーザ登録のアプリケーションを実行する動作などが、出力部１２０（通信部１２１、鳴動部１２２、アプリケーション実行部１２３）により実行される。なお、複数の出力動作の組合せとして出力動作パターン２０１に登録されている場合、全ての出力動作が出力部２００により同時または所定の順に実行される。Ｓ６０４の処理後、携帯端末１００はＳ６０５の処理を実行する。
【００８０】
一方、携帯端末１００が衣類のポケットや鞄等の収容部内に収容されていると、センサ部１４０により検知されない場合（Ｓ６０３、ＮＯ）、携帯端末１００は、Ｓ６０５の処理を行う。
【００８１】
次に、携帯端末１００が初期状態に戻る（Ｓ６０５）。すなわち、携帯端末１００は、待ち受け状態、ロック状態、または各種アプリ（アプリケーション）を表示した状態に移行し、緊急時の動作を終了する。
【００８２】
以上の通り、本発明の第１の実施の形態における携帯端末１００は、収容部（例えば、衣類のポケットや鞄）に収容される携帯端末である。また、携帯端末１００は、センサ部１４０と、操作部１１０と、出力部１２０と、緊急操作記憶部２００と、制御部１５０とを備えている。センサ部１４０は、携帯端末１００が収容部内に収容されているか否かを検知する。操作部１１０は、携帯端末１００の利用者が緊急時に利用するための所定の入力操作を受け付ける。出力部１２０は、携帯端末１００の利用者が緊急時に利用するための所定の出力動作を行う。緊急操作記憶部２００は、所定の入力操作および所定の出力動作を予め対応付けて記憶する。制御部１５０は、所定の入力操作が操作部１１０により受け付けられた場合であって、携帯端末１００が収容部内に収容されたとセンサ部１４０により検知された場合、操作部１１０により受け付けられた所定の入力操作に緊急操作記憶部２００で対応付けられた所定の出力動作を出力部１２０に実行させる。
【００８３】
このように、所定の入力操作が操作部１１０により受け付けられた場合で、かつ、携帯端末１００が収容部内に収容されたとセンサ部１４０により検知された場合に、制御部１５０は出力部１２０に、入力操作に対応付けられた出力動作を実行させる。すなわち、携帯端末１００が収容部内に収容された状態で、入力操作が操作部１１０により受け付けられると、出力部１２０は出力動作を実行する。逆に言えば、携帯端末１００が収容部内に収容された状態で、入力操作が操作部１１０により受け付けられなければ、出力部１２０は出力動作を実行しない。したがって、例えば、犯罪者が携帯端末１００の利用者の近傍に居ても、緊急事態を通知する前に犯罪者に気づかれないように、緊急事態（すなわち、携帯端末１００の利用者が緊急事態にあること）を確実に通知することができる。この結果、犯罪者を逆上させてしまう危険を回避することができる。
【００８４】
以上の通り、本発明にかかる技術によれば、緊急事態を通知する前に周囲に気づかれることなく、緊急事態を確実に通知することができる。
【００８５】
また、制御部１５０は、携帯端末１００が収容部内に収容された状態で入力操作が操作部１１０により受け付けられたことを確認してから、出力部１２０に出力動作を実行させる。このため、間違った緊急発信（すなわち、携帯端末１００の利用者が緊急事態にあることを電話やメールで発信すること）を防止できる。また携帯端末１００の利用者が、普段行わない操作を入力操作として選択して、これを緊急操作記憶部２００に記憶することもできる。これにより、間違った緊急発信をより確実に防止できる。
【００８６】
また、携帯端末１００では、既存の携帯情報端末や携帯電話機を利用することができる。すなわち、本発明を実施するために、専用装置や専用的な携帯端末（例えば、子供用の携帯電話機など）を準備する必要がない。本発明の携帯端末１００には、一般的な携帯情報端末を用いることができる。このため、本発明の携帯端末１００を簡易に且つ安価に製造できる。
【００８７】
また、本発明の第１の実施の形態における携帯端末１００において、出力部１２０は、通信部１２１、鳴動部１２２、またはアプリケーション実行部１２３を有する。通信部１２１は、特定の電話番号または特定のメールアドレスに対して、携帯端末１００の利用者が緊急時である旨を発信する。鳴動部１２２は、携帯端末１００の周囲に対して、携帯端末１００の利用者が緊急時である旨を音で通知する。アプリケーション実行部１２３は、携帯端末１００の利用者が緊急時である旨を他人に伝達するためのアプリケーションを実行する。そして、出力部１２０は、通信部１２１の発信動作、鳴動部１２２の通知動作、またはアプリケーション実行部１２３の実行動作を、所定の出力動作として、実行する。
【００８８】
このように、出力部１２０は、通信部１２１の発信動作、鳴動部１２２の通知動作、またはアプリケーション実行部１２３の実行動作を、所定の出力動作として、実行する。したがって、一般的な携帯情報端末等の既存の機能を用いて、緊急事態を確実に通知することができる。この結果、携帯端末１００を簡易に且つ安価に製造できる。なお、出力部１２０は、これら複数の所定の出力動作を組み合わせて実行してもよい。
【００８９】
本発明の第１の実施の形態における携帯端末１００において、入力部１１０は、タッチパネル１１１、または振動センサ部１１２を有する。タッチパネル１１１は、携帯端末１００の表面に検知面が設けられ、検知面上で移動する物体の特定軌跡を認識する。振動センサ部１１２は、携帯端末１００内に設けられ、携帯端末１００の振動を検知する。そして、入力部１１０は、タッチパネル１１１により検知される物体の軌跡、または振動センサ部１１２により検知される携帯端末１００の振動を、所定の入力操作として、受け付ける。
【００９０】
このように、入力部１１０は、タッチパネル１１１により検知される物体の軌跡、または振動センサ部１１２により検知される携帯端末１００の振動を、所定の入力操作として、受け付ける。したがって、一般的な携帯情報端末等の既存の機能を用いて、入力操作を設定できる。この結果、携帯端末１００を簡易に且つ安価に製造できる。また、タッチパネル１１１は特定のボタンを比べて探しやすい。このため、タッチパネル１１１により検知される物体の軌跡を入力操作とすることで、携帯端末１００の利用者はより簡単にかつ正確にタッチパネル１１１を用いて入力操作を行うことができる。また、例えば、特定のボタンの長押し等の操作を入力操作とした場合、通常操作時に緊急発呼を誤送信してしまう可能性があった。一方、タッチパネル１１１により検知される物体の軌跡を入力操作とすることで、このような誤送信を防止できる。したがって、携帯端末１００によれば、携帯端末１００の利用者はより簡単にかつ正確にタッチパネル１１１を用いて入力操作を行うことができる。
【００９１】
本発明の第１の実施の形態における携帯端末１００において、入力部１１０および出力部１２０は、携帯端末１００の利用者により、予め携帯端末１００内に用意されたものから選択するか、携帯端末１００の利用者が実際に行った操作を記録したものに基づいて、新たに設定される。
【００９２】
これにより、一般手な入力操作や出力動作ではなく、携帯端末１００の利用者が普段行わない入力操作や出力動作を、緊急操作記憶部２００に互いに対応つけて記憶することでできる。この結果、通常操作時に緊急発呼を誤送信してしまうなどのミスを抑止できる。
【００９３】
また、本発明の第１の実施の形態における携帯端末の制御方法は、入力操作受付ステップと、検知ステップと、出力動作実行ステップとを含む。ここで、携帯端末１００は、衣類のポケットや鞄等の収容部に収容される。携帯端末１００は、操作部１１０と、出力部１２０と、緊急操作記憶部２００とを備えている。操作部１１０は、携帯端末１００の利用者が緊急時に利用するための所定の入力操作を受け付ける。出力部１２０は、携帯端末１００の利用者が緊急時に利用するための所定の出力動作を行う。緊急操作記憶部２００は、所定の入力操作および所定の出力動作を予め対応付けて記憶する。入力操作受付ステップでは、所定の入力操作を操作部１１０により受け付ける。検知ステップでは、携帯端末１００が収容部内に収容されているか否かを検知する。出力動作実行ステップでは、入力操作ステップで所定の入力操作が操作部１１０により受け付けられた場合であって、検知ステップで携帯端末１００が収容部内に収容されたと検知された場合、操作ステップで受け付けられた所定の入力操作に緊急操作記憶部２００で対応付けられた所定の出力動作を出力部１２０に実行させる。この制御方法によっても、前述した効果を同様の効果を奏することができる。
【００９４】
＜第２の実施の形態＞
図７は、本発明の第２の実施の形態における携帯端末１００Ａの構成を示すブロック図である。なお、図７では、図１〜６で示した各構成要素と同等の構成要素には、図１〜６に示した符号と同等の符号を付している。
【００９５】
携帯端末１００Ａは、衣類のポケットや鞄などに収容される携帯電話機や携帯情報端末（スマートフォン）等である。以下の説明では、携帯端末１００Ａは携帯情報端末であるものとして説明する。
【００９６】
図７に示されるように、携帯端末１００Ａは、操作部１１０と、出力部１２０と、表示部１３０と、センサ部１４０と、制御部１５０と、入力確認伝達部１６０とを備えている。
【００９７】
ここで、図１と図７を対比する。図７では、携帯端末１００Ａが入力確認伝達部１６０を備えている点で、図１と相違する。
【００９８】
図７に示されるように、入力確認伝達部１６０は、制御部１５０に接続されている。入力確認伝達部１６０は、所定の入力操作が操作部１２０により受け付けられた場合であって、携帯端末１００が衣類のポケット等の収容部内に収容されたとセンサ部１４０により検知された場合に、所定の入力操作が操作部１２０により受け付けられたことを携帯端末１００の利用者に確認させるために携帯端末１００の利用者へ伝達する。
【００９９】
以上、携帯端末１００Ａの内部構成について説明した。
【０１００】
次に、携帯端末１００Ａの動作について説明する。図８は、携帯端末１００Ａの動作フローを示す図である。なお、携帯端末１００Ａの初期設定の動作について、図５を用いた説明と同様である。したがって、携帯端末１００Ａの初期設定の詳細な説明は省略する。
【０１０１】
ここで、図５と図８を対比する。図８では、Ｓ７０１およびＳ７０２の処理が、新たに設けられた点で、図５を相違する。
【０１０２】
緊急時の携帯端末１００Ａの動作について、図８に従って説明する。
【０１０３】
図８に示されるように、まず、携帯端末１００Ａが初期状態であったとする（Ｓ６０１）。ここで、初期状態とは、上述の通り、携帯端末１００が、待ち受け状態、ロック状態、または各種アプリ（アプリケーション）を表示した状態にあることをいう。
【０１０４】
次に、緊急時の入力操作が操作部１１０により受け付けられる（Ｓ６０２）。すなわち、緊急操作記憶部２００の入力操作パターン２０１に記憶された入力操作が、操作部１１０により受け付けられると、携帯端末１００ＡはＳ６０３の処理を行う。
【０１０５】
次に、センサ部１４０による検知処理が行われる（Ｓ６０３）。すなわち、センサ部１４０は、携帯端末１００Ａが衣類のポケットや鞄等の収容部内に収容されているか否かを検知する。
【０１０６】
携帯端末１００が衣類のポケットや鞄等の収容部内に収容されていると、センサ部１４０により検知された場合（Ｓ６０３、ＹＥＳ）、入力確認伝達部１６０が、応答動作として、所定の入力操作が操作部１１０により受け付けられたことを携帯端末１００の利用者へ伝達する（Ｓ７０１）。入力確認伝達部１６０は、例えば、バイブレーター等であり、所定の入力操作が操作部１１０により受け付けられたことをバイブレーターの振動で携帯端末１００の利用者へ伝達する。これにより、携帯端末１００の利用者は、緊急時の出力動作実行（Ｓ６０４）前に、所定の入力操作が操作部１１０により受け付けられたことを認識することができる。
【０１０７】
次に、制御部１５０は、緊急時の入力操作が操作部１１０により再度受け付けられたか否か確認する（Ｓ７０２）。すなわち、制御部１５０は、緊急操作記憶部２００の入力操作パターン２０１に記憶された入力操作が操作部１１０により再び受け付けられたか否かを、確認する。
【０１０８】
緊急時の入力操作が操作部１１０により再度受け付けられたと、制御部１５０により判断された場合（Ｓ７０２、ＹＥＳ）、携帯端末１００は、緊急時の出力動作を実行する（Ｓ６０４）。すなわち、携帯端末１００は、出力部１２０に対して、Ｓ６０２およびＳ７０２で操作部１１０により受け付けられた入力操作に対応付けられた出力動作を実行させる。そして、携帯端末１００は、Ｓ６０４の処理後、初期状態に戻り（Ｓ６０５）、緊急時の動作を終了する。これにより、携帯端末１００の利用者は、緊急時の出力動作実行（Ｓ６０４）前に、所定の入力操作が操作部１１０により受け付けられたことを認識したうえで、再び所定の入力操作を、操作部１１０を用いて入力することができる。この結果、携帯端末１００が緊急事態であることをより正確に認識することができる。したがって、携帯端末１００が緊急事態であることを誤認識する確率を低減できる。
【０１０９】
一方、緊急時の入力操作が操作部１１０により再度受け付けられたと、制御部１５０により判断されなかった場合（Ｓ７０２、ＮＯ）、携帯端末１００Ａは初期状態に戻り（Ｓ６０５）、緊急時の動作を終了する。
【０１１０】
以上の通り、本発明の第２の実施の形態における携帯端末１００Ａは、入力確認伝達部１６０を備えている。この入力確認伝達部１６０は、所定の入力操作が操作部１２０により受け付けられた場合であって、携帯端末１００が衣類のポケット等の収容部内に収容されたとセンサ部１４０により検知された場合に、所定の入力操作が操作部１２０により受け付けられたことを携帯端末１００の利用者に確認させるために携帯端末１００の利用者へ伝達する。
【０１１１】
そして、第１の実施の形態における携帯端末１００の動作（所定の入力操作が操作部１１０により受け付けられた場合であって、携帯端末１００が収容部内に収容されたとセンサ部１４０により検知された場合に、制御部１５０が、操作部１１０により受け付けられた所定の入力操作に対応付けられた所定の出力動作を出力部１２０に実行させる。）のに代えて、次の動作をする。
【０１１２】
すなわち、まず、所定の入力操作が操作部１１０により受け付けられた場合であって、携帯端末１００が収容部内に収容されたとセンサ部１４０により検知された場合に、入力確認伝達部１６０が、所定の入力操作が操作部１１０により受け付けられたことを携帯端末１００の利用者へ伝達する。
【０１１３】
そして、この伝達の後に、所定の入力操作が再び操作部１１０により受け付けられた場合、制御部１５０が、操作部１１０により入力された所定の入力操作に対応付けられた所定の出力動作を出力部１２０に実行させる。
【０１１４】
このように、操作記憶部２００に登録された入力操作を操作している時に、携帯端末１００Ａが入力動作の受付を認識したことに応答して、入力確認伝達部１６０が入力操作の受付を携帯端末１００の利用者へ伝達する。これにより、携帯端末１００の利用者は、緊急時の出力動作実行前に、所定の入力操作が操作部１１０により受け付けられたことを認識することができる。
【０１１５】
そして、携帯端末１００の利用者は、入力確認伝達部１６０により入力操作の受付を伝達されると、これを確認のうえ、操作記憶部２００に登録された入力操作を再び入力することができる。これにより、携帯端末１００の利用者は、緊急時の出力動作実行前に、所定の入力操作が操作部１１０により受け付けられたことを確認したうえで、再び所定の入力操作を、操作部１１０を用いて入力することができる。この結果、携帯端末１００が緊急事態であることをより正確に認識することができる。したがって、携帯端末１００が緊急事態であることを誤認識する確率を低減できる。
【０１１６】
なお、上記実施の形態の他、携帯端末の利用者が通常あまり行わず、間違えなく行える入力操作を数案提案して、携帯端末の利用者が試しに操作し、一番認識率の高い入力操作を緊急操作記憶部に記憶することができる補助ツールを同時に提供してもよい。これにより、携帯端末の利用者が緊急事態であることの認識率を向上し、誤認識を低下することができる。
【０１１７】
また、センサ部１４０の情報を利用しないで、携帯端末を手で持った状態で、緊急操作として、入力操作をすることを可能にしてもよい。この場合の入力操作は、通常使用しない入力操作であることが好ましい。これにより、犯罪者に気づかれにくくすることができる。
【０１１８】
以上、実施の形態をもとに本発明を説明した。実施の形態は例示であり、本発明の主旨から逸脱しない限り、上述各実施の形態に対して、さまざまな変更、増減、組合せを加えてもよい。これらの変更、増減、組合せが加えられた変形例も本発明の範囲にあることは当業者に理解されるところである。
【符号の説明】
【０１１９】
１００、１００Ａ    携帯端末
１１０    操作部
１１１    タッチパネル
１１２    振動センサ部
１１３    電源ボタン
１１４    音量アップボタン
１１５    音量ダウンボタン
１２０    出力部
１２１    通信部
１２２    鳴動部
１２３    アプリケーション実行部
１３０    表示部
１４０    センサ部
１５０    制御部
１５１    記憶部
１６０    入力確認伝達部
１８０    筐体
２００    緊急操作記憶部
２０１    入力操作パターン
２０２    出力操作パターン
２０３    入力ユーザ操作
２０４    出力ユーザ指定アプリ
２０５    出力宛先
２０６    出力メッセージ
【図１】
2016010109.tif 000003
【図２】
2016010109.tif 000004
【図３】
2016010109.tif 000005
【図４】
2016010109.tif 000006
【図５】
2016010109.tif 000007
【図６】
2016010109.tif 000008
【図７】
2016010109.tif 000009
【図８】
2016010109.tif 000010